(57)【特許請求の範囲】
【請求項１】
魚釣りに用いる玉網であって、
順次手元側の筒状体に収納可能に振出形式に連結された複数の先細り筒状体からなる柄部と、
前記柄部の先端側に連結された網枠部とを備え、
前記柄部の最も先端側に位置する筒状体は、外径が先端側ほど小径化しており且つその肉厚は先端側ほど厚肉化している玉網。
【請求項２】
前記柄部の最も先端側に位置する筒状体の先端側端部外径は８〜１５mmである、請求項１に記載の玉網。
【発明の詳細な説明】
【０００１】
【発明の属する技術分野】
本発明は魚釣りに用いる玉網に関する。
【０００２】
【従来の技術】
従来の玉網は、環状の枠部と、枠部に固定された袋状の網部と、枠部に連結された柄部とを有している。この柄部は、複数の先細りテーパの施された筒状体を順次振出形式に連結してなるものであり、順次手元側の筒状体内に穂先側の筒状体が収納可能となっている。
【０００３】
この網分が取り付けられた枠部と柄部とは、以下のような構成において連結されている。例えば、▲１▼柄部を構成する筒状体のうち最も先端側に位置する筒状体の先端側端部外周に雄ねじ部材を配置し、枠部の一部に形成された雌ねじ部をこの雄ねじ部材に螺合させて脱着自在に取り付けたり、▲２▼柄部を構成する筒状体のうち最も先端側に位置する筒状体の先端側端部を、枠部の一部に形成された固定穴に差し込んで接着固定したりしている。
【０００４】
この玉網は、収納時は柄部の筒状体を順次手元側に収納したコンパクトな状態としておく。そして、釣竿の仕掛けにかかった魚を釣り上げる際に、網側を差し出して順次の筒状体を穂先側に引き出し柄部を伸ばし、魚を網部にすくい入れることになる。
【０００５】
【発明が解決しようとする課題】
玉網は網の中に魚を収納してすくい上げるものであり、魚をすくい入れた網部に最も大きな加重がかかる。このため、振出形式に収納するために先端側ほど小径化する筒状体からなる柄部においては、最も小径化している先端側の筒状体ほど負担が大きく、その先端側端部にかかる負荷が大きい。
【０００６】
また、玉網は、上述のように通常各筒状体を順次竿元側の筒状体に収納したコンパクトな状態とされている。この状態においても、最も先端側に位置する筒状体の先端側端部は、枠部と連結されているために竿元側の筒状体内に完全に収納されることはなく一部が突出した状態となっている（図１参照）。このため、このように収納時にはみ出している先端側端部の筒状体が障害物に当たって破損してしまう危険もあり、その強度の向上が必要である。
【０００７】
一方で、玉網全体の軽量化・コンパクト化を図るために柄部は全体として細身に形成することが要求されている。また、振出形式に順次筒状体を収納するためには、筒状体同士の嵌合連結のために長さ方向における外径のテーパの変化率を一定に維持する必要もある。
本発明の課題は、強度に優れ且つ全体として外径が細身でコンパクトな柄部を有する玉網を提供することにある。
【０００８】
【課題を解決するための手段】
発明１の玉網は、魚釣りに用いる玉網であって、順次手元側の筒状体に収納可能に振出形式に連結された複数の先細り筒状体からなる柄部と、柄部の先端側に連結された網枠部とを備えている。そして、柄部の最も先端側に位置する筒状体は、先端側ほど外径が小径化され且つその肉厚は先端側ほど厚肉化している。
【０００９】
この玉網では、収納時には、複数の筒状体を順次手元側の筒状体内に収納したコンパクトな状態としておく。網枠部と直接連結される最も先端側に位置する柄部の筒状体は先端側ほど厚肉化されており先端側の強度を強化している。このため、網枠部との連結のため手元側の筒状体に完全に収納されることなく一部がはみ出した状態となる最も先端側の筒状体の先端側端部の破損も防止できる。
【００１０】
一方、魚釣りの最中に魚を釣り上げたときは、この複数の筒状体を、例えば、手元側に一旦反動をつけて勢いよく先端側に振出して引き延ばし、魚をその先端の網枠部の網にすくい入れることになる。このように柄部の各筒状体を引き出して網枠部に魚をすくい入れた際に網枠部より大きな加重がかかる最も先端側に位置する柄部の先端側の筒状体が厚肉化され強化されており、且つ先端側ほど強化されており、その破損乃至潰れが効率的に抑えられている。そして、このような先端側筒状体の厚肉化による強化によって、全体として各筒状体の外形を順次小径化することも可能となり、玉網全体のコンパクト化も図れる。
【００１１】
なお、この複数の筒状体を手元側に一旦反動をつけて勢いよく先端側に振出して引き延ばすような場合、この玉網のように先端側の筒状体が厚肉化され先端側ほど重量化されることで、振り出しスピードも向上することになる。
発明２の玉網は、発明１の玉網であって、柄部の最も先端側に位置する筒状体の先端側端部外径は８〜１５mmである。
【００１２】
この玉網では、柄部の最も先端側の筒状体の先端側ほどの厚肉化によって強度が担保でき、その外径を所定の程度にまで小径化することも可能である。
【００１３】
【発明の実施の形態】
以下、本発明の一実施形態について図面を参照しつつ説明する。
本発明の一実施形態を採用したタモ網は、図１に示すように、環状の枠に網が取り付けられた網枠部１と、網枠部１に連結された柄部２とを有している。
網枠部１は、ステンレス合金やチタン合金等からなる金属製部材を環状に折り曲げて形成した枠部分を、ナイロン繊維等からなる糸を網目状の編み込んでなる略円筒型の網の開口縁に通して、枠と網とを組み合わせたものである。例えば、枠部分の両端部はそれぞれ外周方向に折り曲げられており、この折り曲げられた両端部が合成樹脂製の連結部５内に収納されている。また、枠部分は環状の外周面に形成され外周方向に開口した溝部を有し、網の開口縁が係止されている金属製またはナイロン製の芯線がこの溝部に嵌入され締め付けられることで、網が枠部分に固定されている。
【００１４】
連結部５は、網枠部１と柄部２と連結するための部分である。例えば、図２に示すように、内周面にねじが形成された雌ねじ穴を設けて、この部分に柄部２を螺合して脱着自在に連結する方法や、直接固定穴に柄部２を差し込んで接着剤で固定する方法等、特にその連結方法は限定されるものではなく周知の連結方法を採用できる。
【００１５】
柄部２は、その仕様によって連結する本数は異なるものではあるが、例えば、４つの筒状体（第１筒状体１１〜第４筒状体１４）を順次連結してなる部分である。柄部２の最も手元側に位置する太径の第４筒状体１４の手元側端部には筒栓４が脱着自在に装着されている。各筒状体１１〜１４は、それぞれ炭素繊維等の強化繊維に合成樹脂を含浸させた繊維強化樹脂を芯材に巻回して焼成して製造する先細り筒状部材である。これらはいわゆる振出形式で連結されており、順次手元側の筒状体内に収納可能である。そして、順次各筒状体を引きだして引き延ばした際には、第１筒状体１１〜第４筒状体１４の竿元側端部外周面はそれぞれ嵌合雄部となっており、順次竿元側の筒状体の穂先側端部内周面に嵌合固定する。このような各筒状体１１〜１４の外径の先細りテーパは一定のテーパ率に設定されており、各筒状体１１〜１４の外径は順次先端側ほど小径化している。
【００１６】
図２に模式的に示すように、このような柄部２の中で最も先端側に位置する第１筒状体１１は、他の筒状体と同様に外径が順次先端側ほど小径化する先細りテーパの施された筒状部材である。そして、先端側端部外周面には外周面にねじ山が形成された短筒状の雄ねじ部材６がはめ込まれ固定されている。この雄ねじ部材６は上述の連結部５に螺合する部分である。なお、この第１筒状体１１はその肉厚において先端側ほど厚肉化するように設定されている。この肉厚は第１筒状体１１の外径に応じて適宜調整するべきものであるが、例えば、第１筒状体１１の先端側端部における外径を８〜１５mm程度とした場合、その先端側端部の肉厚を０．９〜１．５mm程度，竿元側端部の肉厚を０．３〜０．７mm程度に、より好ましくは、その先端側端部の肉厚を１．２mm程度，竿元側端部の肉厚を０．５mm程度にとするのが、十分な強度を維持するためには好ましいといえる。
【００１７】
このような第１筒状体１１は、例えば、以下の様な方法によって製造することが可能である。
図３に示すように、先細りテーパの施された芯材１００を準備し、これに炭素繊維又はガラス繊維などの強化繊維を一定方向に引き揃え合成樹脂を含浸させたプリプレグ素材をシート状の加工したものを巻回する。この際、巻回するプリプレグ素材２０を先端側（芯材１００の小径化している側）が長辺，手元側が短辺となっている略台形型の素材とする。このようなプリプレグ素材２０を巻回することで、先端側ほど素材の巻回数が増えることになり結果的に先端側ほど連続的に肉厚化されることになる。なお、プリプレグ素材２０は一枚のみではなく複数の素材を順次巻回してもよく、その上にさらにテープ状に加工したプリプレグ素材を螺旋状に順次巻回して強度を高めてもよい。
【００１８】
このように芯材１００に巻回したプリプレグ素材２０を炉内で焼成した後に芯材１００を引き抜き、外周面を研磨加工などして外径の調整を施し、両端の長さを切りそろえて第１筒状体１１を作成することになる。
なお、先端側が長辺，手元側が短辺となっている略台形型の素材を用いる他にも、図４に示すように、先端側と手元側との巻回長さの等しくなるような略長方形型のプリプレグ素材３０〜３４等を、順次先端側から部分的に重ねながら巻回する方法も考えられる。この結果、先端側ほど階段状に順次厚肉化する構造を得られる。さらに、その外周にテープ状のプリプレグ素材を螺旋状に巻回することで、連続的に先端側ほど厚肉化させることも可能となる。
【００１９】
他の柄部を構成する筒状体についても同様の構造をとることも可能であるが、他の筒状体１２〜１４に関しては、特に先端側ほど厚肉化させるような構造を採用しなくてもよい。
このような第１筒状体１１を有する柄部２を備えた玉網では、収納時には、複数の筒状体１１〜１４を順次手元側の筒状体内に収納したコンパクトな状態としておく（図１参照）。網枠部１と連結部５によって連結されており、収納状態においてもその先端側の一部がはみ出した状態となるが、第１筒状体１１は先端側ほど厚肉化されて強化されており、このはみ出した部分の破損が抑えられる。
【００２０】
一方、魚釣りの最中に魚を釣り上げたときは、この複数の筒状体１１〜１４を、手元側に一旦反動をつけて勢いよく先端側に振出して引き延ばし、魚をその先端の網枠部１の網にすくい入れることになる。このように柄部２の各筒状体１１〜１４を引き出して網枠部１に魚をすくい入れた際に、網枠部１より大きな加重がかかる最も先端側に位置する柄部２の第１筒状体１１が厚肉化され強化されており、その破損乃至潰れも防止される。そして、このような第１筒状体１１の厚肉化による強化によって、全体として各筒状体の外形を順次小径化することも可能となり、玉網全体のコンパクト化も図れる。
【００２１】
なお、この複数の筒状体を手元側に一旦反動をつけて勢いよく先端側に振出して引き延ばすような場合、この玉網のように第１筒状体１１の先端側ほど厚肉化され重量化されることで、振り出しスピードも向上することになる。
【００２２】
【発明の効果】
本発明にかかる玉網では、柄部の破損を防止できると共に全体として柄部の細身化コンパクト化を図ることも可能となる。
【図面の簡単な説明】
【図１】本発明の一実施形態を採用した玉網の全体図。
【図２】図１の柄部２の第１筒状体１１を示した図。
【図３】図１の第１筒状体１１の製造過程を示した図。
【図４】第１筒状体１１の他の製造過程例を示した図。
【符号の説明】
１  網枠図
２  柄部
１１〜１４  第１〜第４筒状体
【図１】
0004702760.tif 000002
【図２】
0004702760.tif 000003
【図３】
0004702760.tif 000004
【図４】
0004702760.tif 000005